【事件の表示】
　特許第６３２９８７６号発明「旅行パッケージプラン提供システム及び旅行パッケージプラン提供方法」の特許異議申立事件について、次のとおり決定する。
【結　論】
　特許第６３２９８７６号の請求項１ないし１０に係る特許を維持する。
【理　由】
１　手続の経緯
　特許第６３２９８７６号の請求項１〜１０に係る特許についての出願は，平成２６年１０月２２日に特許出願され，平成３０年４月２７日にその特許権の設定登録がされ，平成３０年５月２３日に特許掲載公報が発行された。その後，その特許に対し，平成３０年１１月２１日に特許異議申立人遠藤眞理子により特許異議の申立てがされたものである。
　　
２　本件発明
　特許第６３２９８７６号の請求項１〜１０の特許に係る発明（以下，請求項１〜１０に係る発明をそれぞれ「本件発明１」〜「本件発明１０」という）は，それぞれ，その特許請求の範囲の請求項１〜１０に記載された事項により特定される次のとおりのものである。
「　【請求項１】
　少なくとも発着駅及び日時を含む検索条件の入力を受け付けて，出発駅から到着駅までの列車の乗換案内経路を検索し，その検索結果を乗換案内として提示する乗換案内経路検索部と，
　鉄道と宿泊とがセットになった旅行パッケージプランの中から，上記乗換案内経路検索部による検索結果に含まれる情報のうち少なくとも発着駅を検索条件として合致する１以上の旅行パッケージプランを検索する旅行プラン検索部と，
　上記旅行プラン検索部により検索された上記１以上の旅行パッケージプランのうちの少なくとも１つを少なくとも乗車区間変更欄を備えるプラン表示画面に表示させ，上記乗車区間変更欄での乗車区間の変更操作に応じた処理結果後のプラン表示画面を提示する旅行プラン提示部とを備えたことを特徴とする旅行パッケージプラン提供システム。
　　【請求項２】
　上記旅行プラン提示部は，上記旅行プラン検索部により検索された上記１以上の旅行パッケージプランを，上記乗換案内経路検索部による検索結果に含まれる発着駅，発着日時及び列車名の各情報に基づいて特定される列車と宿泊施設とのセットで設定された料金と共に提示することを特徴とする請求項１に記載の旅行パッケージプラン提供システム。
　　【請求項３】
　上記旅行プラン提示部は，上記乗換案内経路検索部により上記検索結果として提示された乗換案内画面内に，上記旅行プラン検索部により検索された上記１以上の旅行パッケージプランのうち所定の条件を満たすものを表示させることを特徴とする請求項１または２に記載の旅行パッケージプラン提供システム。
　　【請求項４】
　上記旅行プラン提示部は，上記旅行プラン検索部により検索された上記１以上の旅行パッケージプランのうち，料金が安い方から順に所定数を上記プラン表示画面に表示させることを特徴とする請求項１または２に記載の旅行パッケージプラン提供システム。
　　【請求項５】
　上記旅行プラン提示部は，上記乗換案内経路検索部により上記検索結果として提示された乗換案内画面内に，上記旅行プラン検索部により検索された上記１以上の旅行パッケージプランのうち所定の条件を満たすものを，その料金と共に表示させるとともに，上記プラン表示画面に遷移させるための遷移ボタンを表示させ，当該遷移ボタンが操作された場合，上記旅行プラン検索部により検索された上記１以上の旅行パッケージプランのうち，上記所定の条件を満たすものを含めて所定数を上記プラン表示画面に表示させることを特徴とする請求項１または２に記載の旅行パッケージプラン提供システム。
　　【請求項６】
　上記旅行プラン提示部は，上記プラン表示画面において，上記乗換案内経路検索部により検索された乗換案内経路により特定される往路の列車を表示させることを特徴とする請求項４または５に記載の旅行パッケージプラン提供システム。
　　【請求項７】
　上記乗換案内経路検索部は，入力された発着駅及び日時の条件に最も合致した第１候補の乗換案内経路に加え，当該第１候補の乗換案内経路で示される出発時刻の前後を出発時刻とする別の乗換案内経路を検索し，
　上記旅行プラン提示部は，上記プラン表示画面において，上記乗換案内経路検索部により検索された上記第１候補の乗換案内経路により特定される往路の列車を第１候補として表示させ，上記別の乗換案内経路により特定される往路の列車を選択候補として表示させることを特徴とする請求項４または５に記載の旅行パッケージプラン提供システム。
　　【請求項８】
　上記旅行プラン提示部は，上記選択候補の列車を選択する操作が行われた場合，当該選択された列車と宿泊施設とのセットで設定された料金を提示することを特徴とする請求項７に記載の旅行パッケージプラン提供システム。
　　【請求項９】
　上記乗換案内経路検索部による検索結果には，上記発着駅，発着日時及び列車名に加えて基準駅の情報が含まれており，
　上記旅行プラン提示部は，上記旅行プラン検索部により検索された上記旅行パッケージプランを，上記基準駅に応じて設定される料金と共に提示することを特徴とする請求項２〜８の何れか１項に記載の旅行パッケージプラン提供システム。
　　【請求項１０】
　サーバ装置がユーザ端末からの要求に応じて旅行パッケージプランを検索して提供する旅行パッケージプラン提供方法であって，
　上記サーバ装置の乗換案内経路検索部が，上記ユーザ端末から発着駅及び日時の入力を受け付けて，出発駅から到着駅までの列車の乗換案内経路を検索し，その検索結果を乗換案内として提示する第１のステップと，
　上記サーバ装置の旅行プラン検索部が，鉄道と宿泊とがセットになった旅行パッケージプランの中から，上記乗換案内経路検索部による検索結果に含まれる情報のうち少なくとも上記発着駅の条件に合致する１以上の旅行パッケージプランを検索する第２のステップと，
　上記サーバ装置の旅行プラン提示部が，上記旅行プラン検索部により検索された上記１以上の旅行パッケージプランのうちの少なくとも１つを少なくとも乗車区間変更欄を備えるプラン表示画面に表示させ，上記乗車区間変更欄での乗車区間の変更操作に応じた処理結果後のプラン表示画面を提示する第３のステップと
　を含むことを特徴とする旅行パッケージプラン提供方法。」
　
３　申立理由の概要
　特許異議申立人遠藤眞理子は，主たる証拠として甲第１号証（国際公開第２０１０／０９５４２６号（なお，異議申立人が甲第１号証として提出したものは再公表特許ＷＯ２０１０／０９５４２６号（平成２４年８月２３日発行）であり，異議申立理由の証拠の説明等は当該再公表特許に基づいて記載されていることから，当審においても当該再公表特許に基づいて判断する）を，また，従たる証拠として甲第２号証（特開２００９−０９８９０４号公報），甲第３号証（特開２００９−０９８９０５号公報），甲第４号証（特開２００６−１４６４３９号公報），甲第５号証（特開２０１４−２３８８３４号公報）及び甲第６号証（特開２００８−０１５６４７号公報）を提出し，請求項１〜１０に係る特許は特許法第２９条第２項の規定に違反してされたものであるから，請求項１〜１０に係る特許を取り消すべきものである旨主張している。
　　
４　各甲号証の記載
（１）甲第１号証（再公表特許ＷＯ２０１０／０９５４２６号）
　甲第１号証には以下の記載がある。なお下線は当審において付加したものである。
ア　「【０００１】
　本発明は，被写体の画像データを用いて，この被写体の情報を取得する情報取得システムに関する。また，本発明は，
入力される経路情報に基づいて経路に関する情報を取得する情報取得システム
　・・・（途中省略）・・・
【００１４】
[第１の実施形態]
　以下，本発明の一実施形態について図面を参照して説明する。図１は同実施形態による携帯情報機器，撮像装置及び情報取得システムの構成例を示すブロック図である。
　図１において，
情報取得システムは，撮像装置の一例であるデジタルカメラ１と，情報検索システム２とを備える。
　デジタルカメラ１は，ブラウザ機能を有しており，制御部１１，送受信部１２，撮像部１３，ＧＰＳ（Global Positioning System）（位置情報取得部，測位器）１４，記憶部１５，方位センサ１６，表示部１７及びタイマ１８を有している。ここで，本実施形態における無線通信とは，伝送路として線を使わなく，電波，光や音波などによる通信を含むものである。
　・・・（途中省略）・・・
【００１８】
　次に，
情報検索システム２は，図１に示すように情報検索サーバ２１と，データベース２２とを有している。
　データベース２２には，図２に示す建造物テーブルのように，建造物を識別するための建造物識別情報（例えば，建造物の緯度経度から作成される情報など）と，建造物の名称である建造物名称と，建造物情報（住所，電話番号，種別，建造物を中心とした周辺画像データなどの情報）と，建造物の緯度経度などによる位置情報と，建造物の説明（店舗であれば店が記載する情報）と，投稿情報（訪れたユーザの評価などのコメント，及びユーザの投稿した画像データ等）とが記憶されている。」
イ　「【００７３】
[第２の実施形態]
　図９は図１の情報取得システムにスケジュール管理機能を持たせた本発明の他の実施形態である。第１の実施形態と同一又は同等な構成については同一の符合を付し，以下，第１の実施形態と異なる構成及び動作について説明する。第２の実施形態は，第１の実施形態に対して以下に説明する機能が付加されたものである。
　
ナビゲーション部１９は，ユーザが入力した出発地，目的地，出発時刻（あるいは到着時刻），目的地でのスケジュールなどに基づいて，情報検索サーバ２１を介して，経路検索を行い，この経路に従って交通機関あるいは宿泊施設の予約処理を行う
　スケジュール管理部２０は，ユーザが入力した会議や会食の時刻，あるいはナビゲーション部１９が予約した交通機関の出発時刻及び到着時刻に対応し，それぞれの時刻をユーザブザーや（又はバイブレーション）音声（又は音楽）により通知する。」
ウ　「【００８１】
　
情報検索サーバ２１は，
そして，情報検索サーバ２１は，目的地である仙台市にある目的駅（例えば，目的地に最も近い駅など）と，出発地として設定された出発駅との間の交通機関（飛行機，電車，バス，タクシー，船など）の経路検索を行う
　情報検索サーバ２１は，出発駅と目的駅との間の上記経路検索を，日付及び出発時刻（あるいは到着時刻）に基づいて，経路に関する情報が記憶されたデータベース２２又は該交通機関の経路検索システムに対して行う。
【００８２】
　情報検索サーバ２１は，経路検索のシステムから得られた出発駅と目的駅との間の経路（交通機関における出発時刻及び到着時刻と，料金の情報とを含み，経路としては単数あるいは複数の場合があるが，以下複数として説明する）を，各経路に経路識別情報を付して経路に関する情報として，デジタルカメラ１へ送信する。
　
経路の検索結果が入力されると，ナビゲーション部１９は，画像表示欄ＭＰに表示部１７を介し，経路毎に出発駅と目的駅と出発時刻と到着時刻と料金とを表示させる
　例えば，ユーザに都合の良い時間の経路をタッチして選択する（ステップＳ４）と，ナビゲーション部１９は，ユーザがタッチした経路を検出し，検出した経路の表示の色を変化させ，選択した経路が正しいか否かを確認させる通知を画像表示欄ＭＰに表示させる（ステップＳ５）。
【００８３】
　ナビゲーション部１９は，ユーザの経路選択の確認のために，例えば，選択した経路で良いかどうかについてのＹＥＳとＮＯとの文字情報を表示し，選択した経路で良い場合はＹＥＳ，選択した経路で悪い場合（違う経路を選択したい場合）はＮＯをタッチさせる通知を画像表示欄ＭＰへ表示させる。
　ここで，ナビゲーション部１９は，ユーザがＹＥＳをタッチしたことを検出すると，処理をステップＳ６へ進め，一方，ユーザがＮＯをタッチしたことを検出すると，処理をステップＳ４へ戻す。
【００８４】
　ユーザがＹＥＳをタッチしたことを検出すると，ナビゲーション部１９は，その経路の交通機関の予約を行うか否かの確認を行う（ステップＳ６）。
　ここで，ナビゲーション部１９は，例えば，ＹＥＳとＮＯとの文字情報を表示し，予約を行うのであればＹＥＳ，一方予約を行わないのであればＮＯをタッチさせる通知を画像表示欄ＭＰへ表示させ，ユーザの予約の有無を確認する。
　ここで，ナビゲーション部１９は，ユーザがＹＥＳをタッチしたことを検出すると，ユーザの選択した経路の経路識別情報を情報検索サーバ２１へ送信するとともに処理をステップＳ７へ進め，一方，ユーザがＮＯをタッチしたことを検出すると，処理をステップＳ８へ進める。
【００８５】
　
ユーザの選択した経路の経路識別情報（経路に関する情報）が入力されると，情報検索サーバ２１は，経路識別情報の示す経路における各交通機関の予約処理を行う
　経路に関する情報には，出発駅を出発する交通機関の出発時刻（日付を含む）と，目的駅に到着する到着時刻（日付を含む）と，が情報として含まれている。また，経路情報に乗り換えがある場合，経路に関する情報には，乗り換え駅における乗り換える交通機関の出発時刻（日付を含む）も情報として含まれている。
　ここで，情報検索サーバ２１は，喫煙車両あるいは禁煙車両のいずれか，また窓側あるいは通路側のいずれかの座席に対する嗜好情報を確認する画像データをデジタルカメラ１に対して送信する。このとき，情報検索サーバ２１は，喫煙車両，禁煙車両，窓側，通路側の４通りの組合せに対してそれぞれ組合せ識別情報を付与し，この組合せ識別情報を上記画像データとともにデジタルカメラ１へ送信する。」
エ　「【００９０】
　
次に，情報検索サーバ２１は，例えば，ウェブにおける宿泊施設の検索システム又は宿泊施設情報が記憶されたデータベース２２から，目的駅を含む目的地周辺にある宿泊施設を抽出する
　そして，情報検索サーバ２１は，宿泊施設毎に宿泊施設識別番号を付与し，それぞれに宿泊施設名と，住所と，駅からの距離と，料金と，周辺情報と，電話番号との情報を付加し，宿泊施設情報としてデジタルカメラ１へ送信する。
　上記宿泊施設情報が入力されると，
ナビゲーション部１９は，画像表示欄ＭＰに対して，宿泊施設毎に，上記宿泊施設情報を表示したコンボボックスを表示する。
　ユーザが都合の良い宿泊施設をタッチして選択する（ステップＳ８）と，ナビゲーション部１９は，ユーザがタッチした宿泊施設を検出し，検出した宿泊施設の表示の色を変化させ，選択した宿泊施設が正しいか否かを確認させる通知を画像表示欄ＭＰに表示させる（ステップＳ９）。
【００９１】
　ナビゲーション部１９は，ユーザの選択した宿泊施設の確認を行うために，例えば，選択した宿泊施設で良いかどうかについてのＹＥＳとＮＯとの文字情報を表示し，選択した宿泊施設で良い場合はＹＥＳ，一方ユーザの選択した宿泊施設で悪い（例えば，ユーザが気に入らない）場合（例えば，違う宿泊施設を選択したい場合）は，ＮＯをタッチさせる通知を画像表示欄ＭＰへ表示させる。
　ここで，ナビゲーション部１９は，ユーザがＹＥＳをタッチしたことを検出すると，ユーザの選択した宿泊施設の予約のため，処理をステップＳ１０へ進め，一方，ユーザがＮＯをタッチしたことを検出すると，処理をステップＳ８へ戻す。
　
ユーザの選択した宿泊施設の宿泊施設識別番号などを付加した宿泊施設識別情報が入力されると，情報検索サーバ２１は，入力された宿泊施設識別情報の示す宿泊施設の予約処理を行う
　すなわち，情報検索サーバ２１は，各宿泊施設のホームページにおける予約システムを用いて予約処理を行うとともに，料金の支払いをどのようにするかをユーザに確認する画像データをデジタルカメラ１へ送信する。」
オ　「【０１４２】
　上述したように，本実施形態によれば，
ユーザの出発地から目的地までの経路検索，この経路における交通機関の予約，ホテルの予約，さらに出発地から目的地までのナビゲーションが行える
　また，本実施形態においては，出張あるいは旅行において，目的地に到着した後，出発前にスケジュールしたタイムテーブルに従い，スケジュールに対応した行動を行うことができ，目的地などにおけるナビゲーション，レストランへの予約及び商品の購入を容易に行うことができる。」
カ　以上のア〜オによれば，甲第１号証には以下の発明（以下「甲１発明」という。）が記載されている。
「入力される経路情報に基づいて経路に関する情報を取得する情報取得システムであって，
　情報取得システムは，デジタルカメラ１と情報検索システム２とを備え，
　情報検索システム２は，情報検索サーバ２１とデータベース２２とを有しており，
　デジタルカメラ１のナビゲーション部１９は，ユーザが入力した出発地，目的地，出発時刻（あるいは到着時刻），目的地でのスケジュールなどに基づいて，情報検索サーバ２１を介して，経路検索を行い，この経路に従って交通機関あるいは宿泊施設の予約処理を行うものであり，
　情報検索サーバ２１は，目的地である仙台市にある目的駅（例えば，目的地に最も近い駅など）と，出発地として設定された出発駅との間の交通機関（飛行機，電車，バス，タクシー，船など）の経路検索を行うものであり，
　ナビゲーション部１９は，経路の検索結果が入力されると，画像表示欄ＭＰに表示部１７を介し，経路毎に出発駅と目的駅と出発時刻と到着時刻と料金とを表示させ，
　情報検索サーバ２１は，ユーザの選択した経路の経路識別情報（経路に関する情報）が入力されると，経路識別情報の示す経路における各交通機関の予約処理を行い，
　次に，情報検索サーバ２１は，例えば，ウェブにおける宿泊施設の検索システム又は宿泊施設情報が記憶されたデータベース２２から，目的駅を含む目的地周辺にある宿泊施設を抽出し，
　ナビゲーション部１９は，画像表示欄ＭＰに対して，宿泊施設毎に，上記宿泊施設情報を表示したコンボボックスを表示し，
　情報検索サーバ２１は，ユーザの選択した宿泊施設の宿泊施設識別番号などを付加した宿泊施設識別情報が入力されると，入力された宿泊施設識別情報の示す宿泊施設の予約処理を行い，
　ユーザの出発地から目的地までの経路検索，この経路における交通機関の予約，ホテルの予約，さらに出発地から目的地までのナビゲーションが行える情報取得システム。」
（２）甲第２号証（特開２００９−０９８９０４号公報）
　甲第２号証には以下の記載がある。なお下線は当審において付加したものである。
キ　「【０００１】
　本発明は，
交通手段及び宿泊施設の予約を併せて受け付けるサービスのユーザに対して，交通手段及び宿泊施設の対比検討に資する仕組みを提供する
　・・・（途中省略）・・・
【０００３】
　上記のサービスを提供する従来のシステムにおいて行なわれてきた処理の流れの概略を，図１のフローチャートを参照して説明する。
　図１に示すように，上記システムを構成するサーバは，まず，ユーザの端末から検索条件のデータ（例えば，出発地，目的地，期日，人数等）を受信する（Ｓ１１０）。
　その条件を受け取ったサーバは，交通手段又は宿泊施設を選択させる。ここでは，先に交通手段を選択させる場合で説明する。
　交通手段を選択させる場合，サーバは，まず，上記検索条件を満たす空席情報を所定のデータベースから取得し，その取得したデータをもとに生成した交通手段（往路）の選択ページをユーザの端末に送信する（Ｓ１２０）。ユーザは，受信した選択ページにおいて，交通手段（往路）を選択する。
　サーバは，順次，交通手段（復路）の選択ページ及び宿泊施設の選択ページをユーザの端末に送信し（Ｓ１３０，Ｓ１４０），ユーザに交通手段（復路）及び宿泊施設を選択させる。ユーザは，これらの選択ページにおいて，それぞれ交通手段（復路）及び宿泊施設を選択することで，往復の交通手段及び宿泊施設を選択する。
　・・・（途中省略）・・・
【０００８】
　本発明は，交通手段及び宿泊施設の予約を併せて受け付けるサービスのユーザに対し，交通手段や宿泊施設の対比検討の段階で料金の総額を提示するシステムを提供することを課題とする。」
ク　「【００１３】
　本発明の予約受付システムは，
交通手段（往路，復路）及び宿泊施設を一括して選択するページに，宿泊施設ごとに料金の総額を提示する
　その効果として，ユーザは，自己の端末上で必要な料金の総額を対比検討しながら，交通手段や宿泊施設を選択することが可能になる。
【発明を実施するための最良の形態】
【００１４】
　以降，本発明の実施形態の一例を，図２〜図１５を参照して詳細に説明する。ここでは，交通手段が航空機のみに限定されている場合を例に説明する。また，本実施形態は，
宿泊施設と交通手段とを併せて予約する
　以下の説明において，「フライト」とは「日付」及び「便コード」の組を，「宿泊プラン」とは「日付」，「宿泊施設」及び「客室クラス」の組をいうものとする。各項目の詳細については，後述する。
　なお，
本発明のシステムによるサービスは，本実施形態に示す航空機だけでなく，新幹線等の列車，高速バス，フェリーその他の事前の予約を要する交通手段全般を対象としている
【００１５】
＜本実施形態の説明＞
（１．本実施形態のシステムの概略）
　本実施形態は，フライト（往路，復路）及び宿泊プランを一括して選択するページにおいてフライト（往路，復路のいずれか）が変更されるごとに，既に宿泊プランごとに表示されている料金の総額を，変更されたフライトの金額に応じて表示するシステムである。
【００１６】
　本実施形態のシステムの概略を，図２のフローチャートを参照して説明する。
　図２に示すように，
本実施形態のシステムを構成するサーバは，まず，ユーザの端末から検索条件のデータを受信する
　
続いて，上記検索条件を満たす空席情報及び空室情報を所定のデータベースから取得し，取得した情報をもとにフライト（往路，復路）及び宿泊プランの選択ページを生成し，ユーザの端末に送信する
　なお，以下で詳細に説明する本実施形態においては，この総額を表示した選択ページにおいて，検索条件を満たす宿泊プランごとに料金の総額（運送料（運賃）及び宿泊料の人数分の合算金額）を表示するとともに，フライト（交通手段）が変更されるたびに，宿泊プランごとに表示されている料金の総額を更新している。
　・・・（途中省略）・・・
【００２３】
（２−３．空席情報データベース）
　
空席情報データベース４０は，航空機の空席情報を記憶しているデータベースである。
　なお，空席情報データベース４０は，サーバ３０とは独立したサーバ（通常は，各航空会社内にある）に構築してもよいし，サーバ３０に接続された記憶装置に構築してもよい。
　また，本実施形態において「空席情報」とは，座席情報データベース４１（図５（ａ）参照）の各項目と，これに「日付」及び「便コード」で紐付けられた便情報データベース４２（図５（ｂ）参照）の各項目を組み合わせた情報をいうものとする。また，空席情報データベース４０には一定期間（例えば，３か月後まで）の空席情報が記憶されており，定期的に（例えば，１か月ごと）に新しい情報が追加される。
　・・・（途中省略）・・・
【００２６】
（２−４．空室情報データベース）
　図３に戻り，
空室情報データベース５０は，宿泊施設の空室情報を記憶しているデータベースである。
　なお，空室情報データベース５０は，サーバ３０とは独立したサーバ（通常は，各宿泊施設内，あるいは旅行代理店内にある）に構築してもよいし，サーバ３０に接続された記憶装置に構築してもよい。
　また，本実施形態において「空室情報」とは，客室情報データベース５１（図６（ａ）参照）の各項目と，これに「施設コード」で紐付けられた施設情報データベース５２（図６（ｂ）参照）の各項目を組み合わせた情報をいうものとする。また，空室情報データベース５０には一定期間（例えば，３か月後まで）の空室情報が記憶されており，定期的に（例えば，１か月ごと）に新しい情報が追加される。」
ケ　「【００３０】
（３−１．検索要求の受信）
　サーバ３０はユーザ端末１０から検索要求を受信する（Ｓ７０５）。この検索要求には，検索条件のデータが付加されている。
　なお，検索要求の前提として，サーバ３０はユーザ端末１０に対し，図８に例示する検索条件入力ページ８００を送信しているものとする。
　検索条件入力ページ８００の検索条件指定欄８１０において，
ユーザは，検索条件の項目として「往路出発日」，「復路出発日」，「往路（出発空港，到着空港）」，「復路（出発空港，到着空港）」，「宿泊地」，「人数（大人，子供，幼児）」，「利用部屋数」を指定することができる
　検索条件入力ページ８００のボタン８２０ａ又はボタン８２０ｂがクリックされると，検索要求とともに指定した検索条件のデータがサーバ３０に送信される。ここで，ボタン８２０ａがクリックされると，検索結果のデータが宿泊プランごとに表示される。一方，ボタン８２０ｂがクリックされると，検索結果のデータが施設ごとに表示される。
【００３１】
（３−２．空席情報の照会）
　図７に戻り，ユーザ端末１０から検索要求を受信する（Ｓ７０５）と，サーバ３０は，空席情報データベース４０に対し空席情報を照会し（Ｓ７１０），上述の検索条件を満たす空席情報を取得する（Ｓ７１５）。
　本実施形態では，
検索条件の項目のうち「往路出発日」及び「往路（出発空港，到着空港）」から往路の空席情報を，「復路出発日」及び「復路（出発空港，到着空港）」から復路の空席情報を，それぞれ照会し，検索条件を満たし，かつ在庫がある空席情報を取得する
　サーバ３０は，取得したすべての空席情報について，往路，復路のフライトごとに「運送料（最安値）＞在庫数（最大値）＞直行便＞出発時刻（往路は１０時に最も近いもの，復路は１６時に最も近いもの）」の順に評価し，最適なフライトを「選択済みフライト」のデフォルト値とする。本実施形態では，受信した検索条件から「選択済みフライト」の初期値を決定することにより，ユーザ端末１０に最初に送信する選択ページにも必要な料金の総額を表示することができる。
　・・・（途中省略）・・・
【００３３】
（３−４．空室情報の照会）
　図７に戻り，サーバ３０は，空室情報データベース５０に対し空室情報を照会し（Ｓ７２５），上述の検索条件を満たす空室情報を取得する（Ｓ７３０）。
　本実施形態では，
検索条件の項目のうち「往路出発日」，「復路出発日」，「宿泊地」，「人数（大人，子供，幼児）」，「利用部屋数」から空室情報を照会し，検索条件を満たし，かつ在庫がある空室情報を取得する。
　・・・（途中省略）・・・
【００３６】
（３−７．総額の算出）
　図７に戻り，続いて，サーバ３０は，総額算出処理を行なう（Ｓ７４５）。
　総額算出処理（Ｓ７４５）の流れを，図１２のフローチャートを参照して説明する。
　図１２に示すように，サーバ３０は，まず，往路の選択済みフライト及び復路の選択済みフライトの運送料を，それぞれ運送料情報３１から取得する（Ｓ１２１０，Ｓ１２２０）。同様に，サーバ３０は，各宿泊プランの宿泊料を宿泊料情報３２から取得する（Ｓ１２３０）。
　続いて，
宿泊プランごとに，往路の選択済みフライトの運送料，復路の選択済みフライトの運送料，宿泊プランの宿泊料の合計金額を計算し（Ｓ１２４０），１人あたりの料金の総額とする
　なお，検索条件として人数が複数に指定されているときは，１人あたりの料金の総額だけでなく，人数分の料金の総額も計算する。また，子供又は幼児が含まれているときは，所定の割引率又は割引額を考慮して料金の総額を算出する。
　上記の計算の終了後，計算結果のデータを返戻する（Ｓ１２５０）。
【００３７】
（３−８．検索結果ページの送信）
　図７に戻り，続いて，
サーバ３０は，検索結果並びに差額算出処理（Ｓ７４０）により算出した差額及び総額算出処理（Ｓ７４５）により算出した料金の総額をもとに選択ページを生成し，これを検索結果ページとしてユーザ端末１０に対し送信する（Ｓ７５０）
　
図１３に，選択ページ１３００を例示する。
【００３８】
　選択ページ１３００は，検索条件表示欄１３１０，ボタン１３２０，空席情報表示欄１３３０及び空室情報表示欄１３４０により構成される。
　検索条件表示欄１３１０には，現在の検索条件（検索要求（図７のＳ７０５）とともに受信したもの）が表示される。ボタン１３２０は，検索条件表示欄１３１０に表示されている現在の検索条件を変更するページへのリンク（ボタン）である。
【００３９】
　空席情報表示欄１３３０には，空席情報が表示される。空席情報のうち，
往路のフライトの空席情報は空席情報（往路）表示欄１３３１に
表示される
　空席情報（往路）表示欄１３３１又は空席情報（復路）表示欄１３３２中の「空席」欄に表示されている記号は，それぞれ「○：空席あり（６席以上）」,「△：空席わずか（１〜５席）」，「×：予約不可」を意味する（１３３３参照）。
　ここで，「×：予約不可」は，空席数が人数未満であること，つまり「空席はあるが予約はできない」ことを意味する。例えば，あるフライトの空席数が３席である場合，検索条件で指定された人数が２人のときには「△（空席わずか）」が表示されるが，人数が４人のときには「×（予約不可）」が表示される。
　なお，これらの記号の意味するところは，適宜変更することができる。
　・・・（途中省略）・・・
【００４２】
　
料金総額（大人１人）表示欄１３４４には，総額算出処理（図７のＳ７４５）により算出した，１人あたりの料金の総額が表示される
　料金総額（人数合計）表示欄１３４５には，総額算出処理（図７のＳ７４５）により算出した，人数分の料金の総額が表示される。選択ページ１３００では，検索条件表示欄１３１０に表示されているとおり「大人２人」で宿泊する場合であるから，料金総額（人数合計）表示欄１３４５に表示される人数分の料金の総額は，それぞれ料金総額（大人１人）表示欄１３４４に表示される１人あたりの料金の総額の２倍となっている。
　選択ページ１３００の予約ボタン表示欄１３４６に表示されている
「航空券＋宿泊を予約」ボタン
【００４３】
（４．本実施形態のシステムによるページの更新）
　本実施形態のシステムは，ユーザ端末１０からのページ更新要求を受信し（図７のＳ７５５），この要求に対して更新ページを送信する（Ｓ７７０）という処理を繰り返すことにより，料金の総額を更新することができる。
【００４４】
（４−１．ページ更新要求の受信）
　図７に戻り，サーバ３０は，ユーザ端末１０からページ更新要求を受信する（Ｓ７５５）。このページ更新要求には，変更後の選択済みフライトのデータ（選択情報）が付加されている。
　
ページ更新要求は，選択ページ１３００（図１３）の空席情報（往路）表示欄１３３１又は空席情報（復路）表示欄１３３２において，フライトを選択するためのラジオボタンがクリックされるごとにユーザ端末１０からサーバ３０に対して送信される。
【００４５】
（４−２．更新ページの生成・送信）
　図７に戻り，
ユーザ端末１０からページ更新要求を受信する（Ｓ７５５）と，サーバ３０は，差額算出処理（Ｓ７６０）及び総額算出処理（Ｓ７６５）を行なう
　差額算出処理（Ｓ７６０）については，上述の「（３−６．差額の算出）」において図１１を参照して説明した処理と同様である。ここ（図７のＳ７６０）では，往路又は復路いずれか一方の選択済みフライトにのみ変更があるから，その変更がある方の差額の計算のみを行なう。
　また，総額算出処理（Ｓ７６５）については，上述の「（３−７．総額の算出）」において図１２を参照して説明した処理と同様である。
【００４６】
　
サーバ３０は，差額算出処理（Ｓ７６０）により算出した差額及び総額算出処理（Ｓ７６５）により算出した料金の総額をもとに選択ページを生成し，これを更新ページとしてユーザ端末１０に対し送信する（Ｓ７７０）
　図１４，図１５に，更新ページを例示する。これらの図を用いて，本実施形態のシステムによるページの更新処理を具体的に説明する。」
コ　図７
サ　図１３
シ　以上のキ〜サによれば，甲第２号証には以下の発明（以下「甲２発明」という。）が記載されている。
「ユーザの端末から受信した検索条件を満たす，交通手段の空席情報および宿泊施設の空室情報を，所定のデータベース（空席情報データベース４０および空室情報データベース５０）から取得し，及び，取得した情報をもとにフライト及び宿泊プランの選択ページを生成し，ユーザの端末に送信して表示させるサーバ。」
（３）甲第３号証（特開２００９−０９８９０５号公報）
　甲第３号証には以下の記載がある。なお下線は当審において付加したものである。
ス　「【０００１】
　本発明は，
交通手段及び宿泊施設の予約を併せて受け付けるサービスを提供するシステムに関し，特に申込内容の確認・変更に関する
セ　「【００１３】
　以降，本発明の実施形態の一例を，図２〜図２３を参照して詳細に説明する。
　
ここでは，交通手段が航空機のみに限定されている場合を例に説明する
【００１４】
　以下の説明において，「フライト」とは「日付」及び「便コード」の組を，「宿泊プラン」とは「日付」，「宿泊施設」及び「客室クラス」の組をいうものとする。各項目の詳
細については，後述する。
　なお，
本発明のシステムによるサービスが，本実施形態に示す航空機だけでなく，新幹線等の列車，高速バス，フェリーその他の事前の予約を要する交通手段全般を対象としていることは言うまでもない
【００１５】
＜本実施形態の説明＞
（１．本実施形態のシステムによる処理の概略）
　本実施形態のシステムによる申込内容の確認・変更の段階における処理は，従来のシステムによる処理と比較すると，主として次の２点において相違する。
　（１）本実施形態のシステムは，申込内容の確認ページにおいて，ユーザの端末から申込内容の変更要求があった場合に，ユーザに宿泊プランの再選択又は検索条件の再指定を要求することなく，宿泊の延長，短縮及び削除を完了させることができる。
　（２）本実施形態のシステムは，
フライトを個別に変更するための選択ページに変更前後の基本料金の差額を提示し，並びに宿泊プランを個別に変更するための選択ページに変更後に必要となるべき基本料金及び料金総額を提示する
　・・・（途中省略）・・・
【００１８】
　ユーザの端末から，ユーザのボタン等のクリック操作に応じた確認応答を受信する（Ｓ２３５）と，サーバは，確認応答の内容により，以下のようにそれぞれの処理を行う（Ｓ２４０）。
　変更がないとき（「変更なし」），サーバは，所定の手続（例えば，ユーザ情報の登録，意思表示の確認等）を経て，選択されているフライト及び宿泊プランの予約を確定する（Ｓ２５０）。
　一方，変更があるとき（「旅程変更（延長・短縮・削除）」，「フライト変更（時刻変更・
発着地変更
ソ　「【００３８】
（３−６．差額の算出）
　図７に戻り，続いて，サーバ３０は，差額算出処理を行なう（Ｓ７４０）。
　差額算出処理（Ｓ７４０）の流れを，図１１のフローチャートを参照して説明する。
　図１１に示すように，サーバ３０は，まず，選択済みフライトの運送料を運送料情報３１から取得する（Ｓ１１１０）。差額算出処理（Ｓ７４０）では，選択済みフライトのデータとして，往路・復路のいずれか又は双方の処理を行なうことができる。ここ（図７のＳ７４０）では，往路の選択済みフライト及び復路の選択済みフライトのデフォルト値を取得する。
　続いて，サーバ３０は，往路の選択済みフライトに変更があるか否かを判定する（Ｓ１１２０）。変更があるとき（Ｓ１１２０でＹｅｓ）は，運送料情報３１を参照し，取得した空席情報のうち往路の選択済みフライト以外の各フライトの運送料について，往路の選択済みフライトの運送料に対する差額を計算する（Ｓ１１３０）。変更がないとき（Ｓ１１２０でＮｏ）は，何もしない。ここ（図７のＳ７４０）では，往路の選択済みフライトがデフォルト値であるから，変更がある（Ｓ１１２０でＹｅｓ）ものと判定し，差額の計算を行なう。
　同様に，サーバ３０は，復路の選択済みフライトに変更があるか否かを判定する（Ｓ１１４０）。変更があるとき（Ｓ１１４０でＹｅｓ）は，運送料情報３１を参照し，取得した空席情報のうち復路の選択済みフライト以外の各フライトの運送料について，復路の選択済みフライトの運送料に対する差額を計算する（Ｓ１１５０）。変更がないとき（Ｓ１１４０でＮｏ）は，何もしない。ここ（図７のＳ７４０）では，復路の選択済みフライトがデフォルト値であるから，変更がある（Ｓ１１４０でＹｅｓ）ものと判定し，差額の計算を行なう。
　上記の各計算の終了後，計算結果のデータを返戻する（Ｓ１１６０）。
【００３９】
（３−７．総額の算出）
　図７に戻り，続いて，サーバ３０は，総額算出処理を行なう（Ｓ７４５）。
　総額算出処理（Ｓ７４５）の流れを，図１２のフローチャートを参照して説明する。
　図１２に示すように，サーバ３０は，まず，往路の選択済みフライト及び復路の選択済みフライトの運送料を，それぞれ運送料情報３１から取得する（Ｓ１２１０，Ｓ１２２０）。同様に，サーバ３０は，宿泊プランの宿泊料を宿泊料情報３２から取得する（Ｓ１２３０）。
　続いて，
往路の選択済みフライトの運送料，復路の選択済みフライトの運送料，宿泊プランの宿泊料の合計金額を計算し（Ｓ１２４０），大人１人あたりの料金の総額（基本料金）
　検索条件として指定された「１部屋あたりの利用人数」（図８の８７０）が「１人」であるときは，この基本料金が人数分の料金の総額（料金総額）になる。一方，「１部屋あたりの利用人数」（図８の８７０）が複数であるときは，
基本料金に，指定された人数を乗じた額が料金総額
　なお，子供又は有料幼児が含まれているときは，所定の割引率又は割引額を考慮して料金総額を算出する。また，宿泊日数が複数になる場合には，宿泊日数を乗じて基本料金及び料金総額を算出する。
　ここ（図７のＳ７４５）では，これらの処理をすべての宿泊プランについて行なう。
　上記の計算の終了後，計算結果のデータを返戻する（Ｓ１２５０）。」
タ　「【００６５】
　
図１８−１に，フライトの選択ページを例示する
ボタン１４２３ｂ
【００６６】
　選択ページ１８００ａは，空席情報表示欄１８１０ａ及び「戻る」ボタン１８２０ａにより構成される。
　空席情報表示欄１８１０ａには，取得済みの空席情報が表示される。ここでは，空席情報を取得する処理（図７のＳ７１５）において取得済みの空席情報が表示される。
　空席情報表示欄１８１０ａの「空席」欄に表示されている記号は，選択ページ１３００（図１３）の空席情報（往路）表示欄１３３１又は空席情報（復路）表示欄１３３２の「空席」欄に表示されている記号と同様である。
　また，空席情報表示欄１８１０ａの「旅行代金差額」欄には，算出済みの差額の情報が表示される。ここでは，差額算出処理（図７のＳ７４０）において算出済みの差額の情報が表示される。
【００６７】
　その他，空席情報表示欄１８１０ａには，
申込内容表示欄１８１１ａ，出発空港指定欄１８１２ａ，到着空港指定欄１８１３ａ及び「検索」ボタン１８１４ａ
　
申込内容表示欄１８１１ａには，現在の検索条件（検索要求（図７のＳ７０５）とともに受信したもの，又はその後のフライト変更処理に伴い変更されたもの），並びに基本料金及び料金総額が表示される
チ　「【００７３】
（６−２．
フライト変更（発着地変更）処理の流れ
　フライト変更（発着地変更）処理の流れを，図１７−２のシーケンス図を用いて説明する。
　図１７−２に示すように，サーバ３０は，ユーザ端末１０から確認応答として，
フライト変更要求を受信する
フライト変更（発着時刻変更）処理（図１７−１参照）と同様に，既に取得している空席情報及びその空席情報をもとに既に算出している差額の情報から，変更要求のあった区間（往路又は復路のいずれか）のみのフライトの選択ページを生成し，これをユーザ端末１０に送信する（Ｓ１７１０ｂ）
【００７４】
　
選択ページ１８００ａでは，出発空港指定欄１８１２ａに出発空港，到着空港指定欄１８１３ａに到着空港をそれぞれ指定し，「検索」ボタン１８１４ａをクリックすることにより，現在の検索条件と異なる条件で空席情報を検索することができる。これにより，フライトの発着時刻の変更だけでなく，フライトの発着地の変更にも対応することができる
　選択ページ１８００ａにおいて，出発空港指定欄１８１２ａに出発空港を，到着空港指定欄１８１３ａに到着空港を，それぞれ指定し，「検索」ボタン１８１４ａをクリックすると，ユーザ端末１０は，サーバ３０に変更後の検索条件による検索要求を送信する。
【００７５】
　図１７−２に戻り，ユーザ端末１０から検索要求を受信する（Ｓ１７１５ｂ）と，サーバ３０は，空席情報データベース４０に対し空席情報を照会し（Ｓ１７２０ｂ），変更された検索条件を満たし，かつ在庫のある空席情報を取得する（Ｓ１７２５ｂ）。
　空席情報データベース４０から空席情報を取得する（Ｓ１７２５ｂ）と，サーバ３０は，運送料情報生成処理を行なう（Ｓ１７３０ｂ）。
運送料情報生成処理
【００７６】
　続いて，サーバ３０は，
差額算出処理
　ここ（図１７−２のＳ１７３５ｂ）では，変更前のフライトが選択済みフライトであり，新たに取得したすべての空席情報について選択済みフライトに対する差額を算出する。また，人数が複数の場合には，上記差額に，指定された人数を乗じた額を算出する。
【００７７】
　続いて，
サーバ３０は，検索結果及び差額算出処理（Ｓ１７３５ｂ）により算出した差額の情報をもとにフライトの選択ページを生成し，これを検索結果ページとしてユーザ端末１０に送信する（Ｓ１７４０ｂ）
　なお，ユーザは，検索条件を指定し検索要求を送信し，検索結果ページ（選択ページ）を受信するという手順を任意の回数繰り返すことにより，選択ページの空席情報表示欄に所望の空席情報を表示させることができる（図１７−２では，Ｓ１７４０ｂの処理の次にＳ１７１５ｂの処理が続く。）。
　・・・（途中省略）・・・
【００８１】
　図１７−２に戻り，ユーザ端末１０からフライトの変更情報を受信する（Ｓ１７４５ｂ）と，サーバ３０は，総額算出処理を行なう（Ｓ１７５０ｂ）。
　総額算出処理については，上述の「（３−７．総額の算出）」において図１２を参照して説明した処理と同様である。ここ（図１７−２のＳ１７５０ｂ）では，選択されている宿泊プランのみについて総額を算出する。
　これらの処理が完了すると，サーバ３０は，フライトの変更を反映させ，かつ総額算出処理（Ｓ１７５０ｂ）により算出した料金の総額の情報を付加した確認ページを生成し，これをユーザ端末１０に送信する（Ｓ１７５５ｂ）。
【００８２】
　図１９−２に，
発着地変更後の確認ページ
　なお，確認ページ１９００ｂの基本的な構成は，確認ページ１９００ａ（図１９−１）と同様である。」
ツ　図１７−２
テ　図１８−１
ト　図１８−２
ナ　以上のス〜トによれば，甲第３号証には以下の発明（以下「甲３発明」という。）が記載されている。
「所定のデータベース（空席情報データベース４０及び空室情報データベース５０）から取得された情報に基づくフライト及び宿泊プランを，出発空港指定欄及び到着空港指定欄を備える選択ページ１８００ａに表示させ，出発空港指定欄及び到着空港指定欄でのフライト区間の変更操作に応じた処理（運送料情報生成処理，差額算出処理）結果後の選択ページ１８００ｂを提示するサーバ。」
（４）甲第４号証（特開２００６−１４６４３９号公報）
　甲第４号証には以下の記載がある。なお下線は当審において付加したものである。
ニ　「【０００１】
　本発明は，ウェブサイトを利用して旅行の予約を支援する旅行予約支援システム，及び旅行予約方法，並びにこれら旅行予約支援システム及び旅行予約方法にて用いられるサーバ装置に関する。」
ヌ　「【００６９】
　検索結果ページは，図６に示すように，
指定された条件に合致する候補として検索された航空券及びホテルに関する情報の一覧７１を文字列として表示するとともに
候補として検索された航空券を販売する航空会社を示す候補航空会社情報７２とホテルを示す候補ホテル情報７３とがマトリクス状に配置された一覧表７４を表示する
【００７０】
　候補航空会社情報７２は，一覧表７４の横軸の項目を構成する。候補航空会社情報７２は，候補として検索された航空券を販売する航空会社のロゴ等の情報からなり，ロゴと航空会社名を対応付けた一覧表を別ウィンドウとして表示させる一覧ボタン７５が設けられて構成される。一方，候補ホテル情報７３は，一覧表７４の縦軸の項目を構成する。候補ホテル情報７３は，候補として検索されたホテルの写真等からなり，当該ホテルの詳細を
別ウィンドウとして表示させる詳細ボタン７６と，当該ホテルを候補として選択するためのチェックボックス７７とが設けられて構成される。
【００７１】
　このような
候補航空会社情報７２及び候補ホテル情報７３によって横軸及び縦軸がそれぞれ規定された一覧表７４
【００７２】
　ここで，一覧表７４には，候補航空会社情報７２に表示された航空会社と候補ホテル情報７３に表示されたホテルとを組み合わせた場合の目安となる参考料金７８が表示され，
ユーザのニーズに応じて航空会社とホテルの並び順序を変更することができるように構成されている。例えば，候補航空会社情報７２には，料金が安い航空会社の順序で左から並べて表示するとともに，候補ホテル情報７３には，料金が安いホテルの順序で降順に表示した場合には，参考料金７８のうち，最も左上に表示されている航空会社とホテルの組み合わせが最も料金が安い組み合わせとなる
ネ　図７
ノ　以上のニ〜ネによれば，甲第４号証には以下の発明（以下「甲４発明」という。）が記載されている。
「候補航空会社情報７２と候補ホテル情報７３とがマトリクス状に配置された一覧表７４において，パッケージツアー商品の料金の安い方から順に表示する旅行予約支援システム。」
（５）甲第５号証（特開２０１４−２３８８３４号公報）
　甲第５号証には以下の記載がある。なお下線は当審において付加したものである。
ハ　「【０００１】
　本発明は，宿泊施設が提供する宿泊施設サイトに交通手段の運営情報を提供して，
交通手段付き宿泊プランを生成するシステム
　・・・（途中省略）・・・
【０００６】
　そこで本発明は，宿泊施設のウェブサイトを通じて，
宿泊プランと交通手段の一括予約が可能な交通手段付き宿泊プラン
ヒ　「【００５４】
　ここで，顧客端末５上において，生成処理部１４により生成された航空券付き宿泊プランが表示された画面の一例を図１１に示す。
　
検索結果画面４２０では，検索条件に合致した航空券付き宿泊プランの一覧が表示され
　また，
この検索結果画面４２０中には，宿泊プランの料金と，航空券の料金とを合算した合計料金が，航空券付き宿泊プランの料金として表示されている
フ　「【００８０】
　運営情報記憶部７１は，交通手段の運営情報に関する情報を記憶した記憶部である。
　
なお，本例では，交通手段が航空機であった場合を例に説明しているが，本発明における交通手段は特に航空機に限らず，バス，電車等，各種の交通機関についても適用可能である
　この運営情報記憶部７１には例えば，図１９に示されるように，航空機の便名，出発地，到着地，出発時刻，到着時刻，料金，及び在庫といった情報が記憶されている。」
ヘ　「【０１０８】
　また，この場合に，宿泊予約サイト上において，顧客によって選択された航空券と，宿泊プラン記憶部６１から抽出された宿泊プランに基づき，生成処理部６５により生成された
航空券付き宿泊プランが表示された画面の一例を図２８に示す
　当該画面では，顧客が指定した宿泊プランの内容と共に，顧客が選択した航空券の情報が表示されているが，航空券の個別の料金が表示されておらず，
航空券と宿泊プランの両方の料金を含んだ航空券付き宿泊プランの料金のみが表示されている
【０１０９】
　さらに，
以上の本実施形態における宿泊予約サイトの別の例では，図２９に示されるように，宿泊プランの一覧表示において，宿泊プランごとに，航空券付き宿泊プランの最低料金を表示するものとしてもよい
　この最低料金は，宿泊プラン記憶部６１に記憶されている宿泊プランの料金情報と，運営情報記憶部７１に記憶されている運営情報の料金情報に基づき，生成処理部６５によって算出されたものである。
　航空券付き宿泊プランの最低料金が宿泊プランごとに予め表示されていることで，顧客としては，詳細な情報を要求する前に，航空券付き宿泊プランを容易に取捨選択することができる。
【０１１０】
　また，宿泊予約サイトのさらに別の例では，図３０に示されるように，
出発地をプルダウンリストから簡易に選択し，選択された出発地からの航空券の空席情報を併せて表示するようにしてもよい
　これにより，航空券付き宿泊予約プランを予約することができるかどうか，簡単に把握することができる。
【０１１１】
　なお，以上の本発明の実施形態では，交通手段は航空機を例にとったが，これに限らず，電車やバス等，各種の移動手段を対象とすることができる。」
ホ　図３０
マ　以上のハ〜ホによれば，甲第５号証には以下の発明（以下「甲５発明」という。）が記載されている。
「宿泊プランの一覧表示画面において出発地をプルダウンリストから選択可能とし，選択された出発地からの航空券の空席情報を併せて表示し，また，プルダウンリストにより選択された出発地に応じて，航空券付き宿泊プランの料金が更新表示される，交通手段付き宿泊プランを生成するシステム。」
（６）甲第６号証（特開２００８−０１５６４７号公報）
　甲第６号証には以下の記載がある。なお下線は当審において付加したものである。
ミ　「【０００１】
　本発明は，情報提供システム，情報提供装置，情報提供方法及び情報提供装置用プログラムの技術分野に属し，より詳細には，
利用する施設及び移動手段を選択するための端末装置に対して，当該施設及び移動手段並びにそれらの利用のための費用等についての情報を提供する情報提供システム
ム　「【０１０８】
　ここで，当該組合せデータベースＣＴの構成について図５（ｃ）に例示しつつ説明すると，当該組合せデータベースＣＴは，複数の
組合せレコードＲＣ
組合せレコードＲＣは，その組合せレコードＲＣにおいて組み合わされている宿泊状況レコードＲＨ並びに空席状況レコードＲＧ及びＲＢを夫々示すホテルＩＤ情報，往路ＩＤ情報及び復路ＩＤ情報と，当該往路ＩＤ情報及び復路ＩＤ情報により夫々示される便を利用した結果としての乗り継ぎの回数（往復分）を示す乗継回数情報と，当該往路ＩＤ情報及び復路ＩＤ情報により夫々示される便を利用した結果としての乗り継ぎ時間の合計（往復分）を示す乗継時間情報と，当該往路ＩＤ情報及び復路ＩＤ情報により夫々示される便を利用した結果としての総移動時間（往復分の飛行機利用時間）を示す総移動時間情報と，当該往路ＩＤ情報及び復路ＩＤ情報により夫々示される便並びに当該ホテルＩＤ情報により示される宿泊施設を利用するときに必要な費用の総額を示す総価格情報と，当該往路ＩＤ情報及び復路ＩＤ情報により夫々示される便を利用したときに体験できるオプションの内容（より具体的には，例えば，「乗り継ぎができる」，「飛行機からオーロラが見られる」又は「飛行機から富士山が見られる」等のオプションの内容）やその便が飛行するコースの内容等を示す付随情報と，が含まれている
【０１０９】
　このとき，当該組合せレコードＲＣの内容のうち，乗継回数情報及び乗継時間情報は，各々に，上記空席状況データＧＴ及びＢＴにおける乗継情報の内容を夫々の組合せ毎に加算して得られるものであり，総移動時間情報は上記空席状況データＧＴ及びＢＴにおける出発時刻情報及び到着時刻情報に基づいて算出される（すなわち，（到着時刻情報により示される到着時刻）−（出発時刻情報により示される出発時刻）の計算結果を往復分加算して算出される）ものであり，総価格情報は上記空席状況データＧＴ及びＢＴ並びに宿泊状況データＨＴにおける価格情報に基づいて算出されるものであり，更にオプションの内容等を示す情報は上記空席状況データＧＴ及びＢＴ並びにその他の情報に基づいて生成されるものである。
【０１１０】
　次に，
予約サーバＡＳのＣＰＵ１７内の出力部５１は，当該組み合わされた組合せデータベースＣＴの内容を用いて検索結果表示画面を生成し，それを上記検索条件情報を出力してきた利用者端末装置Ｔに出力し，その内容を当該利用者端末装置Ｔの表示部３２において表示させる
【０１１１】
　ここで，当該ステップＳ４の処理としての検索結果表示処理に用いられる検索結果画面について，図８を用いて例示しつつ説明する。なお，図８は，当該検索結果を表示する際に，対応する利用者端末装置Ｔ内の表示部３２に表示される条件入力画面の例である。
【０１１２】
　ステップＳ４の処理を実行する際に表示部３２に表示される検索結果画面ＯＵＴとしては，図８に例示するように，その検索結果の元となる上記組合せレコードＲＣに含まれている価格情報に基づいて算出される一人当たりの必要費用を示す費用情報を表示する費用表示欄２００と，当該組合せレコードＲＣに含まれているホテルＩＤ情報により示される宿泊施設レコードＲＨに含まれている情報を表示する施設情報表示欄２０１と，当該組合せレコードＲＣに含まれている往路ＩＤ情報により示される空席状況レコードＲＧに含まれている情報を表示する往路情報表示欄２０２と，当該組合せレコードＲＣに含まれている復路ＩＤ情報により示される空席状況レコードＲＢに含まれている情報を表示する復路情報表示欄２０３と，当該組合せレコードＲＣに含まれている総価格情報の内容を表示する総価格表示欄２０４と，当該組合せレコードＲＣに含まれている往路ＩＤ情報により示される空席状況レコードＲＧ並びに復路ＩＤ情報に示される空席状況レコードＲＢ夫々にその他の情報として含まれているその他の付随する情報の内容を表示するオプション表示欄２０５と，当該表示されている検索結果に対応する宿泊施設及び航空機の便を実際に予約する際に操作される予約実行ボタン２０６と，現在検査結果画面ＯＵＴを用いて表示されている組合せに対応する組合せレコードＲＣの次の組合せレコードＲＣに対応する組合せを表示する際に操作される次候補表示ボタン２０７と，を含んだものが好適である。
【０１１３】
　なお，当該次候補表示ボタン２０７に関し，
上記組み合わされた組合せレコードＲＣ夫々の表示部３２における表示順は，上記検索条件の入力の際に表示順入力欄１０５を用いて同時に入力された検索結果の表示順（すなわち，例えば，「総額が安い順」，「飛行時間が短い順」，「オプション内容の順」等の表示順）に則った順で表示される
メ　以上のミ及びムによれば，甲第６号証には以下の発明（以下「甲６発明」という。）が記載されている。
「利用する施設及び移動手段を選択するための端末装置に対して，当該施設及び移動手段並びにそれらの利用のための費用等についての情報を提供する情報提供システムであって，端末装置に検索結果を表示する場合に，検索条件の入力の際に表示順入力欄を用いて同時に入力された検索結果の表示順（すなわち，例えば，「総額が安い順」，「飛行時間が短い順」，「オプション内容の順」等の表示順）に則った順で表示される情報提供システム。」
６　当審の判断
（１）請求項１に係る発明（本件発明１）について
　異議申立の理由によれば，本件発明１は，甲第１号証〜甲第３号証に基づいて，当業者が容易に発明することができたものであると異議申立人は主張している。
　そこで，本件発明１が甲第１号証〜甲第３号証に基づいて，当業者が容易に発明することができたものであるか否かを検討する。
　まず，本件発明１と甲第１号証に記載された前記甲１発明を対比する。
ア　本件発明１の「少なくとも発着駅及び日時を含む検索条件の入力を受け付けて，出発駅から到着駅までの列車の乗換案内経路を検索し，その検索結果を乗換案内として提示する乗換案内経路検索部」について
　甲１発明は，ユーザが入力した出発地，目的地及び出発時刻（あるいは到着時刻）に基づいて，情報検索サーバが出発地として設定された出発駅と，例えば，目的地に最も近い駅を目的駅として，その間の交通機関（飛行機，電車，バス，タクシー，船など）の経路検索を行い，経路毎に出発駅と目的駅と出発時刻と到着時刻と料金とを表示させるものであり，また，この検索された経路には路線の乗り換えが必要な経路も存在することは明らかであることから，甲１発明も「出発駅から到着駅までの列車の乗換案内経路を検索」するものといえる。
　そうすると，本件発明１と甲１発明は，
「少なくとも発着駅及び日時を含む検索条件の入力を受け付けて，出発駅から到着駅までの列車の乗換案内経路を検索し，その検索結果を乗換案内として提示する乗換案内経路検索部」
を備える点で一致している。
イ　本件発明１の「鉄道と宿泊とがセットになった旅行パッケージプランの中から，上記乗換案内経路検索部による検索結果に含まれる情報のうち少なくとも発着駅を検索条件として合致する１以上の旅行パッケージプランを検索する旅行プラン検索部」について
　甲１発明の情報検索サーバは，出発駅と目的駅の間の交通機関（飛行機，電車，バス，タクシー，船など）の経路検索を行い，経路毎に出発駅と目的駅と出発時刻と到着時刻と料金とを表示させた後，ユーザが選択した経路の経路識別情報（経路に関する情報）の示す経路における各交通機関の予約処理を行い，次に，宿泊施設の検索システム又は宿泊施設情報が記憶されたデータベースから，目的駅を含む目的地周辺にある宿泊施設を抽出する処理を行うものであるが，前記各交通機関と宿泊施設は順次，別々に検索されるものであることから，甲１発明は「鉄道と宿泊とがセットになった旅行パッケージプラン」を検索するものではない。
　そうすると，本件発明１と甲１発明は，甲１発明が上記本件発明１の「旅行プラン検索部」を備えていない点で相違している。
ウ　本件発明１の「上記旅行プラン検索部により検索された上記１以上の旅行パッケージプランのうちの少なくとも１つを少なくとも乗車区間変更欄を備えるプラン表示画面に表示させ，上記乗車区間変更欄での乗車区間の変更操作に応じた処理結果後のプラン表示画面を提示する旅行プラン提示部」について
　甲１発明は，前記イで記載したように「鉄道と宿泊とがセットになった旅行パッケージプラン」を検索するものではないから，本件発明１の上記「旅行プラン提示部」についても備えておらず相違点である。
エ　本件発明１の「旅行パッケージプラン提供システム」について
　甲１発明は，各交通機関と宿泊施設は順次，別々に検索されて表示されるものであり，旅行パッケージプランとしてユーザに提供されるものではないものの，交通機関と宿泊を合わせた旅行のプランを提供するシステムであるともいえる。
　そうすると，本件発明１と甲１発明は，
「旅行プラン提供システム」
である点で共通する。
オ　以上のア〜エによれば，本件発明１と甲１発明との一致点，及び，相違点は以下のとおりである。
＜一致点＞
　少なくとも発着駅及び日時を含む検索条件の入力を受け付けて，出発駅から到着駅までの列車の乗換案内経路を検索し，その検索結果を乗換案内として提示する乗換案内経路検索部，
　を備えたことを特徴とする旅行プラン提供システム。
　
＜相違点１＞
　本件発明１の「鉄道と宿泊とがセットになった旅行パッケージプランの中から，上記乗換案内経路検索部による検索結果に含まれる情報のうち少なくとも発着駅を検索条件として合致する１以上の旅行パッケージプランを検索する旅行プラン検索部」を，甲１発明では備えていない点。
＜相違点２＞
　本件発明１の「上記旅行プラン検索部により検索された上記１以上の旅行パッケージプランのうちの少なくとも１つを少なくとも乗車区間変更欄を備えるプラン表示画面に表示させ，上記乗車区間変更欄での乗車区間の変更操作に応じた処理結果後のプラン表示画面を提示する旅行プラン提示部」を，甲１発明では備えていない点。
カ　上記相違点について検討する。
　上記相違点１及び２は，いずれも検索条件に基づく旅行パッケージプランの検索に係る技術的事項であり，また，上記相違点２は，上記相違点１の「旅行プラン検索部」を前提とする技術的事項であるので，まず上記相違点１について検討する。
　上記相違点１における「旅行プラン検索部」は，「乗換案内経路検索部による検索結果に含まれる情報のうち少なくとも発着駅を検索条件」として旅行パッケージプランを検索するものであって，ここで使用される検索条件は，あくまでも「乗換案内経路検索部」による検索結果に含まれる情報であり，「乗換案内経路検索部」により受け付けられた「少なくとも発着駅及び日時を含む検索条件の入力」，つまりユーザが入力した検索条件を使用するものではない。
　これに対して甲第２号証には「ユーザの端末から受信した検索条件を満たす，交通手段の空席情報および宿泊施設の空室情報を，所定のデータベース（空席情報データベース４０および空室情報データベース５０）から取得し，及び，取得した情報をもとにフライト及び宿泊プランの選択ページを生成し，ユーザの端末に送信して表示させるサーバ。」との甲２発明が記載されている。
　しかしながら，甲２発明では確かにフライト及び宿泊プランのいわゆる旅行パッケージプランの検索が行われるものであるが，ここで使用される検索条件は「ユーザの端末から受信した検索条件」であって，前記「４（２）ケ」における「検索条件入力ページ８００の検索条件指定欄８１０において，
ユーザは，検索条件の項目として「往路出発日」，「復路出発日」，「往路（出発空港，到着空港）」，「復路（出発空港，到着空港）」，「宿泊地」，「人数（大人，子供，幼児）」，「利用部屋数」を指定することができる
　また，甲第３号証には「所定のデータベース（空席情報データベース４０及び空室情報データベース５０）から取得された情報に基づくフライト及び宿泊プランを，出発空港指定欄及び到着空港指定欄を備える選択ページ１８００ａに表示させ，出発空港指定欄及び到着空港指定欄でのフライト区間の変更操作に応じた処理（運送料情報生成処理，差額算出処理）結果後の選択ページ１８００ｂを提示するサーバ。」との甲３発明が記載されているものの，甲２発明と同様にユーザが指定した検索条件に基づく旅行パッケージプランの検索技術を開示するものでしかない。
　したがって，甲２発明及び甲３発明によっても上記相違点１に係る技術的事項を，当業者が容易に想到し得たものであるということはできず，また，上記相違点１の技術的事項を前提とする相違点２についても同様に甲２発明及び甲３発明に基づいて当業者が容易に想到し得たものであるということはできない。
キ　まとめ
　以上ア〜カに記載したとおり，本件発明１は，甲１発明，甲２発明及び甲３発明に基づいて当業者が容易に発明をすることができたものではない。
（２）請求項２〜９に係る発明（本件発明２〜９）について
　本件発明２〜９は，上記（１）で検討した本件発明１に対し，さらに技術的事項を追加して限定したものである。
　そして，本件発明１は上記（１）で示したように甲１発明，甲２発明及び甲３発明に基づいて当業者が容易に発明をすることができたものではないから，甲第４号証〜甲第６号証に記載の甲４発明〜甲６発明によっても，本件発明２〜９を当業者が容易に想到し得たものということはできない。
　よって，本件発明２〜９は，甲１発明〜甲６発明に基づいて当業者が容易に発明をすることができたものではない。
（３）請求項１０に係る発明（本件発明１０）について
　本件発明１０は，本件発明１の「旅行パッケージプラン提供システム」において行われる各情報処理を，処理ステップとして特定し方法の発明としたものである。
　よって，本件発明１０は，上記（１）に示した理由と同様の理由により，甲１発明，甲２発明及び甲３発明に基づいて当業者が容易に発明をすることができたものではない。
（４）まとめ
　以上（１）〜（３）のとおりであるから，特許異議申立人が提出した甲第１号証〜甲第６号証によっては，請求項１〜１０に係る特許は特許法第２９条第２項の規定に違反してされたものであるということはできない。
　　
６　むすび
　したがって，特許異議の申立ての理由及び証拠によっては，請求項１〜１０に係る特許を取り消すことはできない。　
　また，他に請求項１〜１０に係る特許を取り消すべき理由を発見しない。
　よって，結論のとおり決定する。
【異議決定日】
平成３１年２月２１日（２０１９．２．２１）